(57)【要約】【課題】内容物の角部を保護する構造を容易に形成することができ、且つ開封後の廃棄を容易にすることができる包装箱を提供する。【解決手段】  包装箱１は、板状の内容物（Ｍ）が配置される底壁１０と、底壁１０の前後方向の両端部に連設され、底壁１０に配置された内容物Ｍの前後方向の両側面に対向する一対の側壁１１と、底壁１０の左右方向の両端部に連設され、底壁１０に配置された内容物Ｍの左右方向の両側面に対向する一対の端壁１２と、一対の側壁１１の先端部に連設され、底壁１０に配置された内容物Ｍの天面に対向する天壁１３と、天壁１３の左右方向の側部に連設され、底壁１０、側壁１１、端壁１２および天壁１３の内面に重なるように折り曲げられ、且つ底壁１０、側壁１１、端壁１２および天壁１３の各々と内容物Ｍの角部Ｃとの間に配置されて角部Ｃを保護する角当て部１５と、を備えている。【選択図】図６
2019112073.tif 000002
【特許請求の範囲】
【請求項１】
板状または六面体状に形成された内容物（Ｍ）が配置される底壁（１０）と、
前記底壁の第１方向の両端部に連設され、前記底壁に配置された前記内容物の第１方向の両側面に対向する一対の第１壁（１１）と、
前記底壁の第１方向に交差する第２方向の両端部に連設され、前記底壁に配置された前記内容物の第２方向の両側面に対向する一対の第２壁（１２）と、
前記一対の第１壁の少なくとも一方の先端部に連設され、前記底壁に配置された前記内容物の天面に対向する天壁（１３）と、
前記天壁の第２方向の側部に連設され、前記底壁、前記第１壁、前記第２壁および前記天壁の内面に重なるように折り曲げられ、且つ前記底壁、前記第１壁、前記第２壁および前記天壁の各々と前記内容物の角部（Ｃ）との間に配置されて前記内容物の角部を保護する角当て部（１５，１６，１７）と、を備えていることを特徴とする包装箱。
【請求項２】
前記一対の第１壁は、前記底壁の第１方向の両端部に第１折曲線（２１）を介して連設され、
前記一対の第２壁は、前記底壁の第２方向の両端部に第２折曲線（２２）を介して連設され、
前記天壁は、前記第１壁の先端部に第３折曲線（２３）を介して連設され、
前記角当て部（１５）は、
前記第３折曲線から前記天壁の先端側に離間した位置で前記天壁の第２方向の側端から内側に向かって切り込まれた切込線（４５）と、前記第３折曲線の端部から前記切込線の先端に向かって斜めに延びた折返し線（５０）との間に形成されている天面保護部（４０）と、
前記天面保護部の第２方向の端部に第１折込線（５１）を介して連設されている第１側面保護部（４１）と、
前記第１側面保護部の第２方向の端部に第２折込線（５２）を介して連設されている底面保護部（４２）と、
前記底面保護部の前記第２壁の側に第３折込線（５３）を介して連設されている第２側面保護部（４３）と、を含み、
前記天面保護部が前記折返し線に沿って折り返されて前記天壁の内面に重ねられた状態において、前記第１側面保護部は前記第１折込線を前記第３折曲線に対応させた位置で前記第１壁の内面に重ねられ、前記底面保護部は前記第２折込線を前記第１折曲線に対応させた位置で前記底壁の内面に重ねられ、前記第２側面保護部は前記第３折込線を前記第２折曲線に対応させた位置で前記第２壁の内面に重ねられることを特徴とする請求項１に記載の包装箱。
【請求項３】
前記一対の第１壁は、前記底壁の第１方向の両端部に第１折曲線（２１）を介して連設され、
前記一対の第２壁は、前記底壁の第２方向の両端部に第２折曲線（２２）を介して連設され、
前記天壁は、前記第１壁の先端部に第３折曲線（２３）を介して連設され、
前記角当て部（１７）は、
前記天壁の第２方向の端部に第１折込線（７１）を介して連設され、中間部に前記第１折込線と平行に形成された折返し線（７０）を有する第２側面保護部（６０）と、
前記第２側面保護部の第２方向の端部に第２折込線（７２）を介して連設されている天面保護部（６１）と、
前記天面保護部の前記第２壁の側に第３折込線（７３）を介して連設されている第１側面保護部（６２）と、
前記第１側面保護部の前記第２壁の側に第４折込線（７４）を介して連設されている底面保護部（６３）と、を含み、
前記第２側面保護部が前記折返し線に沿って折り返されて二重になった状態において、前記天面保護部は前記第２折込線を前記第１折込線に対応させた位置で前記天壁の内面に重ねられ、前記第１側面保護部は、前記第３折込線を前記第３折曲線に対応させた位置で前記第１壁の内面に重ねられ、前記底面保護部は前記第４折込線を前記第１折曲線に対応させた位置で前記底壁の内面に重ねられ、
前記天面保護部が前記天壁と前記内容物の天面との間に配置された状態において、二重になった前記第２側面保護部は、前記第１折込線および前記第２折込線に沿って折り曲げられて前記内容物の角部の第２方向の側面と前記第２壁との間に配置されることを特徴とする請求項１に記載の包装箱。
【請求項４】
前記一対の第１壁の先端部には、一対の前記天壁が連設され、
前記一対の天壁の第２方向の両側部には、前記内容物の４つの角部を保護する４つの前記角当て部が連設されていることを特徴とする請求項１ないし３のいずれかに記載の包装箱。
【請求項５】
前記一対の天壁には、前記一対の天壁を互いに係合させて前記内容物の天面に対向した状態に維持する係合部（３０）が形成されていることを特徴とする請求項４に記載の包装箱。
【請求項６】
前記一対の第２壁の少なくとも一方の先端部に連設され、前記内容物の天面に対向した前記天壁に重ねられる蓋壁（１４）を更に備えていることを特徴とする請求項１ないし５のいずれかに記載の包装箱。
【請求項７】
前記天壁および前記蓋壁には、前記蓋壁を前記天壁に重ねた状態で固定するロック構造（３５）が形成されていることを特徴とする請求項６に記載の包装箱。
【発明の詳細な説明】
【技術分野】
【０００１】
本発明は、内容物の角部を保護することができる包装箱に関する。
【背景技術】
【０００２】
例えば、特許文献１には、断面の形状が矩形である筒状に形成された外枠を有するコーナ緩衝材が開示されている。２枚重ねられた板状体の被梱包物（内容物）は、その角部がコーナ緩衝材によって覆われた状態で上下２枚のカバー材に包まれている。被梱包物と２枚のカバー材とは、結束材によって結束されている。この状態で、被梱包物の角部は、コーナ緩衝材と２枚のカバー材とによって二重に覆われて保護されている。
【先行技術文献】
【特許文献】
【０００３】
【特許文献１】特開２００７−３２０６５４号公報
【発明の概要】
【発明が解決しようとする課題】
【０００４】
しかしながら、被梱包物を包装する作業者は、被梱包物を下方のカバー材に載置した後、その被梱包物の角部にコーナ緩衝材を取り付けなければならず、包装作業（封緘作業）に時間と手間がかかるという問題があった。また、コーナ緩衝材は２枚のカバー材とは別部材であるため、異なる複数の部材を製造して保管しなければならず、これらの部材の管理に手間とコストがかかるという問題もあった。さらに、被梱包物を取り出した後（開封後）、コーナ緩衝材と２枚のカバー材とが別々の廃棄物となるため、廃棄物の回収作業等に手間がかかるという問題があった。
【０００５】
本発明は上記した課題を解決すべく、内容物の角部を保護する構造を容易に形成することができ、且つ開封後の廃棄を容易にすることができる包装箱を提供する。
【課題を解決するための手段】
【０００６】
上記した目的を達成するため、本発明の包装箱は、板状または六面体状に形成された内容物が配置される底壁と、前記底壁の第１方向の両端部に連設され、前記底壁に配置された前記内容物の第１方向の両側面に対向する一対の第１壁と、前記底壁の第１方向に交差する第２方向の両端部に連設され、前記底壁に配置された前記内容物の第２方向の両側面に対向する一対の第２壁と、前記一対の第１壁の少なくとも一方の先端部に連設され、前記底壁に配置された前記内容物の天面に対向する天壁と、前記天壁の第２方向の側部に連設され、前記底壁、前記第１壁、前記第２壁および前記天壁の内面に重なるように折り曲げられ、且つ前記底壁、前記第１壁、前記第２壁および前記天壁の各々と前記内容物の角部との間に配置されて前記内容物の角部を保護する角当て部と、を備えている。
【０００７】
この場合、前記一対の第１壁は、前記底壁の第１方向の両端部に第１折曲線を介して連設され、前記一対の第２壁は、前記底壁の第２方向の両端部に第２折曲線を介して連設され、前記天壁は、前記第１壁の先端部に第３折曲線を介して連設され、前記角当て部は、前記第３折曲線から前記天壁の先端側に離間した位置で前記天壁の第２方向の側端から内側に向かって切り込まれた切込線と、前記第３折曲線の端部から前記切込線の先端に向かって斜めに延びた折返し線との間に形成されている天面保護部と、前記天面保護部の第２方向の端部に第１折込線を介して連設されている第１側面保護部と、前記第１側面保護部の第２方向の端部に第２折込線を介して連設されている底面保護部と、前記底面保護部の前記第２壁の側に第３折込線を介して連設されている第２側面保護部と、を含み、前記天面保護部が前記折返し線に沿って折り返されて前記天壁の内面に重ねられた状態において、前記第１側面保護部は前記第１折込線を前記第３折曲線に対応させた位置で前記第１壁の内面に重ねられ、前記底面保護部は前記第２折込線を前記第１折曲線に対応させた位置で前記底壁の内面に重ねられ、前記第２側面保護部は前記第３折込線を前記第２折曲線に対応させた位置で前記第２壁の内面に重ねられることが好ましい。
【０００８】
この場合、前記一対の第１壁は、前記底壁の第１方向の両端部に第１折曲線を介して連設され、前記一対の第２壁は、前記底壁の第２方向の両端部に第２折曲線を介して連設され、前記天壁は、前記第１壁の先端部に第３折曲線を介して連設され、前記角当て部は、前記天壁の第２方向の端部に第１折込線を介して連設され、中間部に前記第１折込線と平行に形成された折返し線を有する第２側面保護部と、前記第２側面保護部の第２方向の端部に第２折込線を介して連設されている天面保護部と、前記天面保護部の前記第２壁の側に第３折込線を介して連設されている第１側面保護部と、前記第１側面保護部の前記第２壁の側に第４折込線を介して連設されている底面保護部と、を含み、前記第２側面保護部が前記折返し線に沿って折り返されて二重になった状態において、前記天面保護部は前記第２折込線を前記第１折込線に対応させた位置で前記天壁の内面に重ねられ、前記第１側面保護部は、前記第３折込線を前記第３折曲線に対応させた位置で前記第１壁の内面に重ねられ、前記底面保護部は前記第４折込線を前記第１折曲線に対応させた位置で前記底壁の内面に重ねられ、前記天面保護部が前記天壁と前記内容物の天面との間に配置された状態において、二重になった前記第２側面保護部は、前記第１折込線および前記第２折込線に沿って折り曲げられて前記内容物の角部の第２方向の側面と前記第２壁との間に配置されることが好ましい。
【０００９】
この場合、前記一対の第１壁の先端部には、一対の前記天壁が連設され、前記一対の天壁の第２方向の両側部には、前記内容物の４つの角部を保護する４つの前記角当て部が連設されていることが好ましい。
【００１０】
この場合、前記一対の天壁には、前記一対の天壁を互いに係合させて前記内容物の天面に対向した状態に維持する係合部が形成されていることが好ましい。
【００１１】
この場合、前記一対の第２壁の少なくとも一方の先端部に連設され、前記内容物の天面に対向した前記天壁に重ねられる蓋壁を更に備えていることが好ましい。
【００１２】
この場合、前記天壁および前記蓋壁には、前記蓋壁を前記天壁に重ねた状態で固定するロック構造が形成されていることが好ましい。
【発明の効果】
【００１３】
本発明によれば、包装箱に内容物の角部を保護する構造を容易に形成することができる。また、開封後の包装箱の廃棄を容易にすることができる。
【図面の簡単な説明】
【００１４】
【図１】本発明の第１実施形態に係る包装箱を示す斜視図である。
【図２】本発明の第１実施形態に係る包装箱のブランクを示す平面図である。
【図３】本発明の第１実施形態に係る包装箱のブランクの一部を拡大して示す平面図である。
【図４】本発明の第１実施形態に係る包装箱の角当て部を折り返した状態を示す斜視図である。
【図５】本発明の第１実施形態に係る包装箱の１つの角当て部等を拡大して示す平面図である。
【図６】本発明の第１実施形態に係る包装箱の天壁で内容物を覆った状態を示す斜視図である。
【図７】本発明の第１実施形態に係る包装箱の蓋壁を天壁に固定する過程を示す斜視図である。
【図８】本発明の第１実施形態の変形例に係る包装箱の１つの角当て部等を拡大して示す平面図である。
【図９】本発明の第２実施形態に係る包装箱のブランクを示す平面図である。
【図１０】本発明の第２実施形態に係る包装箱のブランクの一部を拡大して示す平面図である。
【図１１】本発明の第２実施形態に係る包装箱の角当て部を折り返した状態を示す斜視図である。
【図１２】本発明の第２実施形態に係る包装箱の１つの角当て部等を拡大して示す平面図である。
【図１３】本発明の第２実施形態に係る包装箱の天壁で内容物を覆った状態の一部を示す平面図である。
【発明を実施するための形態】
【００１５】
以下、添付の図面を参照しつつ、本発明の実施形態について説明する。なお、図面に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。前後方向（第１方向）は、左右方向（第２方向）に直交（交差）し、上下方向は前後方向と左右方向とに直交（交差）している。本明細書では方向や位置を示す用語を用いるが、それらの用語は説明の便宜のために用いるものであって、本発明の技術的範囲を限定するものではない。
【００１６】
［第１実施形態：包装箱の概要］
図１ないし図３を参照して、第１実施形態に係る包装箱１について説明する。図１は包装箱１を示す斜視図である。図２は包装箱１のブランク５を示す平面図である。図３はブランク５の一部を拡大して示す平面図である。
【００１７】
図１に示すように、包装箱１は、所謂たとう式（ヤッコ型）の箱であって、上下方向に扁平な直方体状に形成されている。包装箱１は、底壁１０の四辺に一対の側壁１１と一対の端壁１２とを交互に立設させ、上面開口を閉塞することで封緘される。この包装箱１には、例えば机の天板等、矩形板状（または六面体状）に形成された内容物Ｍが収容される。なお、本明細書では、内容物Ｍの天面、底面および側面等の用語を用いるが、これらは内容物Ｍの使用状態における天面等という意味ではなく、包装箱１，２に包装した状態での内容物Ｍの姿勢を基準した概念である。また、内容物Ｍの天面、底面および側面等は、平面であってもよいし、斜面や曲面を含んでいてもよい。また、本明細書では内容物Ｍの角部Ｃという用語を用いるが、角部Ｃとは、一対の側面が交差して角が突き出た形状や、角が面取りされた形状等を含む概念である。
【００１８】
包装箱１は、図２に示すブランク５を組み立てることで形成される。ブランク５は、一枚の紙製の段ボールシートを抜型等で打ち抜いて形成されている。段ボールシートは、例えば、波状の中しん９Ａの表裏に表ライナ９Ｂと裏ライナ９Ｃ（図４等参照）とを貼り合せた両面段ボールシートである。なお、図２は、表ライナ９Ｂ側（包装箱１の外面側）を示している。本明細書では、段ボールの中しん９Ａと平行な方向を「段方向」と呼び、段方向に直交する方向を「流れ方向」と呼ぶこととする。図面に示す「Ｘ」は「段方向」を示し、「Ｙ」は「流れ方向」を示している。
【００１９】
図２に示すように、ブランク５は、底壁１０と、一対の側壁１１と、一対の端壁１２と、一対の天壁１３Ａ，１３Ｂと、一対の蓋壁１４と、４つの角当て部１５と、を備えている。第１壁の一例としての一対の側壁１１は、底壁１０の段方向（第１方向）の両端部に第１折曲線２１を介して連設されている。第２壁の一例としての一対の端壁１２は、底壁１０の流れ方向（第２方向）の両端部に第２折曲線２２を介して連設されている。一対の天壁１３Ａ，１３Ｂは、一対の側壁１１の先端部に第３折曲線２３を介して連設されている。一対の蓋壁１４は、一対の端壁１２の先端部に第４折曲線２４を介して連設されている。４つの角当て部１５は、天壁１３Ａ，１３Ｂの流れ方向の両側部に連設されている。なお、第１〜第４折曲線２１〜２４は、それぞれ、段ボールシートを裏ライナ９Ｃ側から厚み方向に直線状に潰して形成された汎用罫線である。
【００２０】
＜底壁，側壁，端壁＞
底壁１０は、流れ方向に長い略長方形状に形成されている。底壁１０には内容物Ｍが配置されるため、底壁１０の寸法は内容物Ｍの平面形状に合わせて設定されている。一対の側壁１１は、それぞれ、流れ方向に長い略長方形状に形成されている。側壁１１の段方向の寸法（延出寸法）は内容物Ｍの厚さに合わせて設定され、側壁１１の流れ方向の寸法は底壁１０の流れ方向の寸法と略同一に設定されている。一対の端壁１２は、それぞれ、段方向に長い略長方形状に形成されている。端壁１２の流れ方向の寸法（延出寸法）は側壁１１の延出寸法と略同一に設定され、端壁１２の段方向の寸法は底壁１０の段方向の寸法と略同一に設定されている。
【００２１】
＜天壁，蓋壁＞
一対の天壁１３Ａ，１３Ｂは、それぞれ、流れ方向に長い略長方形状に形成されている。各天壁１３Ａ，１３Ｂの流れ方向の寸法は側壁１１の流れ方向の寸法と略同一に設定されている。前方の天壁１３Ａの段方向の寸法（延出寸法）は、後方の天壁１３Ｂの延出寸法よりも短く設定されている。一対の天壁１３Ａ，１３Ｂは、封緘された状態で互いに重なるように形成されている。一対の蓋壁１４は、それぞれ、段方向に長い略長方形状に形成されている。蓋壁１４の流れ方向の寸法（延出寸法）は、前方の天壁１３Ａの延出寸法よりも長く、且つ後方の天壁１３Ｂの延出寸法よりも短く設定されている。また、蓋壁１４の段方向の寸法は、端壁１２の段方向の寸法と略同一に設定されている。なお、本明細書では、説明の便宜のため、一対の天壁１３Ａ，１３Ｂに共通する説明では算用数字のみを符号として用いることにする。
【００２２】
（係合部）
一対の天壁１３Ａ，１３Ｂの先端部には、係合部３０が形成されている。係合部３０は、天壁１３Ａの流れ方向中央付近に形成された係合凸部３１と、天壁１３Ｂの流れ方向中央付近に形成された係合凹部３２と、を含んでいる。係合部３０は、一対の天壁１３Ａ，１３Ｂを互いに係合させて内容物Ｍの天面に対向した状態に維持する機能を有している。
【００２３】
係合凸部３１は、天壁１３Ａの先端から基端に向かって切り込まれた一対の切欠き部３１Ａの間に形成されている。つまり、一対の切欠き部３１Ａが天壁１３Ａの先端部に凹設されることで、係合凸部３１が相対的に凸設されている。係合凸部３１の先端中央部には、略半円形状の指掛け部３１Ｂが凹んだ状態に形成されている。係合凸部３１には、流れ方向両側の先端から基端に向かって略Ｖ字状に傾斜した一対の第１補助罫線２５Ａが形成されている。また、係合凸部３１には、一対の第１補助罫線２５Ａの交点から指掛け部３１Ｂまで延びた第２補助罫線２５Ｂが形成されている。なお、第１および第２補助罫線２５Ａ，２５Ｂは汎用罫線である。
【００２４】
係合凹部３２は、天壁１３Ｂの先端から基端に向かって凹んだ状態に形成されている。係合凹部３２の流れ方向の最大寸法は、係合凸部３１の流れ方向の最大寸法よりも長く、且つ一対の切欠き部３１Ａの最大間隔よりも短くなるように設定されている。
【００２５】
（ロック構造）
図２に示すように、天壁１３および蓋壁１４には、ロック構造３５が形成されている。ロック構造３５は、４つの差込片３６と、４つの差込穴３７と、４つの固定片３８と、４つの固定穴３９と、を含んでいる。４つの差込片３６は、一対の蓋壁１４の段方向両側に差込罫線２６（汎用罫線）を介して連設されている。４つの差込穴３７および４つの固定片３８は、一対の天壁１３の基端付近（根本付近）に形成されている。４つの固定穴３９は、４つの差込片３６に形成されている。ロック構造３５は、蓋壁１４を天壁１３に重ねた状態で固定する機能を有している。なお、４つの差込片３６等は前後・左右に対称となる形状であるため、以下、１つの差込片３６等について説明する。
【００２６】
図３に示すように、差込片３６は、蓋壁１４の段方向端部の先端側から段方向外側に向かって延設されている。差込片３６は、先端角部を丸めた略長方形状に形成されている。差込片３６の基端部（根本部）には、差込罫線２６に沿って固定穴３９が形成されている。固定穴３９は、差込罫線２６の中間部で流れ方向に延びた細隙（スリット）である。固定穴３９の中央部には、略半円形状の指掛け部３９Ａが蓋壁１４に向かって凹んだ状態に形成されている。
【００２７】
差込穴３７は、第３折曲線２３に沿って流れ方向に延びた細隙（スリット）である。差込穴３７は、蓋壁１４を天壁１３に重ねた状態で、差込片３６に対応する位置に形成されている。
【００２８】
固定片３８は、側壁１１の段方向中央部に第１固定罫線２７Ａを介して連設されている。固定片３８は、差込穴３７を横断するように側壁１１から天壁１３に亘って形成されている。固定片３８は、先端角部を丸めた略長方形状に形成されている。固定片３８には、第３折曲線２３と同一線上となる位置に第２固定罫線２７Ｂが形成されている。なお、第１および第２固定罫線２７Ａ，２７Ｂは汎用罫線である。
【００２９】
＜角当て部＞
図２に示すように、４つの角当て部１５は、天壁１３の両側部に入り込んだ位置から流れ方向外側に向かって延設されている。４つの角当て部１５は、一対の天壁１３と一対の蓋壁１４とによって囲まれた４つの領域に配置されている。４つの角当て部１５は、内容物Ｍの４つの角部Ｃを保護する機能を有している。なお、４つの角当て部１５は前後・左右に対称となる形状であるため、以下、１つの角当て部１５について説明する。
【００３０】
図３に示すように、角当て部１５は、天壁１３の側から順に、天面保護部４０と、第１側面保護部４１と、底面保護部４２と、第２側面保護部４３と、を含んでいる。
【００３１】
天面保護部４０は、第３折曲線２３から天壁１３の先端側に離間した位置で天壁１３の流れ方向の側端から内側に向かって切り込まれた切込線４５と、第３折曲線２３の端部から切込線４５の先端（突当り）に向かって斜めに延びた折返し線５０との間に形成されている。つまり、天面保護部４０は、天壁１３の側部を切り込むことで折返し線５０を斜辺とした略直角二等辺三角形状に形成されている。折返し線５０は、第３折曲線２３に対して略４５度の角度で形成されている。
【００３２】
第１側面保護部４１は、天面保護部４０の流れ方向の端部（三角形の底辺部）に第１折込線５１を介して連設されている。第１側面保護部４１は、第１折込線５１を長辺とした段方向に長い略長方形状に形成されている。第１側面保護部４１の流れ方向の寸法（延出寸法）は、側壁１１の延出寸法よりも僅かに短く設定されている。第１折込線５１は、天壁１３の側辺（第２折曲線２２の延長線）よりも僅かに天壁１３の内側にずれた位置に形成されている。
【００３３】
底面保護部４２は、第１側面保護部４１の流れ方向の端部に第２折込線５２を介して連設されている。底面保護部４２は、第２折込線５２を一辺とした略正方形状に形成されている。第２折込線５２は、第４折曲線２４の延長線よりも僅かに天壁１３の内側にずれた位置に形成されている。
【００３４】
第２側面保護部４３は、底面保護部４２の蓋壁１４の側に第３折込線５３を介して連設されている。第２側面保護部４３は、第３折込線５３を長辺とした流れ方向に長い略長方形状に形成されている。第２側面保護部４３の段方向の寸法（延出寸法）は、端壁１２（または側壁１１）の延出寸法よりも僅かに短く設定されている。第３折込線５３は、第３折曲線２３の延長線よりも僅かに蓋壁１４から離れる方向にずれた位置に形成されている。なお、第２側面保護部４３の先端は蓋壁１４には触れていない。
【００３５】
なお、側壁１１、端壁１２、第１側面保護部４１および第２側面保護部４３で囲まれた範囲には略正方形状の開口（穴）が構成されている。また、折返し線５０および第１〜第３折込線５１〜５３は、それぞれ、汎用罫線上に略等間隔で複数の切目を形成したリード罫である。
【００３６】
［包装箱の組立］
次に、図１、図４ないし図７を参照して、包装箱１を組み立てて内容物Ｍを包装（収容）する工程（組立作業）について説明する。図４は角当て部１５を折り返した状態を示す斜視図である。図５は１つの角当て部１５等を拡大して示す平面図である。図６は天壁１３で内容物Ｍを覆った状態を示す斜視図である。図７は蓋壁１４を天壁１３に固定する過程を示す斜視図である。ここでは、一例として、作業者が内容物Ｍを包装する（包装箱１を封緘する）場合について説明する。
【００３７】
包装箱１は、裏ライナ９Ｃを上方に向けたブランク５を適宜折り曲げることで組み立てられる。まず、図４に示すように、作業者は、４つの角当て部１５（天面保護部４０）を折返し線５０に沿って内側に略１８０度に折り返す。４つの角当て部１５は、底壁１０の四隅付近において各壁１０〜１３の内面に重ねられる。なお、天壁１３Ａ，１３Ｂには、天面保護部４０が折り返されることで略直角二等辺三角形状の天面穴Ｈが開口する。
【００３８】
図５に示すように、天面保護部４０が折返し線５０に沿って折り返されて天壁１３の内面に重ねられた状態において、第１側面保護部４１は第１折込線５１を第３折曲線２３に対応させた位置で側壁１１の内面に重ねられる。また、この状態で、底面保護部４２は第２折込線５２を第１折曲線２１に対応させた位置で底壁１０の内面に重ねられ、第２側面保護部４３は第３折込線５３を第２折曲線２２に対応させた位置で端壁１２の内面に重ねられる。なお、各折込線５１〜５３を各折曲線２１〜２３に「対応させた位置」とは、例えば、各折込線５１〜５３が各折曲線２１〜２３に完全に一致することを要求するものではなく、数ｍｍ程度の誤差を許容しつつ各折込線５１〜５３と各折曲線２１〜２３とが略平行になる位置を指している。
【００３９】
次に、図４および図５に示すように、作業者は、折返し線５０で折り返された角当て部１５を押さえるように底壁１０に内容物Ｍを配置する（図４および図５の二点鎖線参照）。正確には、作業者は、内容物Ｍの４つの角部Ｃを、底壁１０に積層された４つの底面保護部４２に載せる。
【００４０】
続いて、図６に示すように、作業者は、一対の側壁１１を第１折曲線２１に沿って上方に折り曲げ、一対の天壁１３Ａ，１３Ｂを第３折曲線２３に沿って内側に折り曲げる。この際、第１側面保護部４１は第２折込線５２に沿って上方に折り曲げられ、天面保護部４０は第１折込線５１に沿って内側に折り曲げられる。なお、天壁１３Ａ，１３Ｂを折り曲げると、固定片３８が天壁１３Ａ，１３Ｂから分離して相対的に上方に突出する。
【００４１】
続いて、作業者は、天壁１３Ａの係合凸部３１を天壁１３Ｂの係合凹部３２に位置合わせし、前方の係合凸部３１を後方の天壁１３Ｂの外面に重ね、後方の天壁１３Ｂの左右両側を前方の天壁１３Ａの外面に重ねる。すると、一対の天壁１３Ａ，１３Ｂの先端部が、互いに噛み合った状態になる。
【００４２】
この状態で、一対の側壁１１は、底壁１０に対して略直角に起立した姿勢になり、底壁１０に配置された内容物Ｍの前後方向の両側面に対向する。また、一対の天壁１３Ａ，１３Ｂは、底壁１０に対して略平行な姿勢になり、底壁１０に配置された内容物Ｍの天面に対向する。また、一対の天壁１３Ａ，１３Ｂは、係合部３０を介して係合して内容物Ｍの天面に対向した状態に維持される。また、この状態で、底面保護部４２は、底壁１０と内容物Ｍの角部Ｃの底面との間に挟まれている。第１側面保護部４１は、側壁１１と内容物Ｍの角部Ｃの前後方向の側面との間に挟まれている。天面保護部４０は、天壁１３と内容物Ｍの角部Ｃの天面との間に挟まれている。
【００４３】
次に、図７に示すように、作業者は、一対の端壁１２を第２折曲線２２に沿って上方に折り曲げる。この際、第２側面保護部４３は第３折込線５３に沿って上方に折り曲げられる（図６参照）。続いて、作業者は、差込片３６を差込罫線２６に沿って内側に折り曲げ、一対の蓋壁１４を第４折曲線２４に沿って内側に折り曲げる。そして、作業者は、差込片３６を天壁１３の差込穴３７に差し込みながら蓋壁１４を天壁１３の外面に重ねる。次に、作業者は、固定片３８を第１固定罫線２７Ａで前後方向外側に折り曲げながら第２固定罫線２７Ｂで前後方向内側に折り曲げ、固定片３８を差込片３６の固定穴３９に差し込む。すると、差込片３６が差込穴３７に差し込まれた状態に維持される。
【００４４】
この状態で、図１に示すように、一対の端壁１２は、底壁１０に対して略直角に起立した姿勢になり、底壁１０に配置された内容物Ｍの左右方向の両側面に対向する。また、一対の蓋壁１４は、内容物Ｍの天面に対向した天壁１３に重ねられ、ロック構造３５を介して天壁１３に固定される。また、この状態で、第２側面保護部４３は、端壁１２と内容物Ｍの角部Ｃの左右方向の側面との間に挟まれている。なお、一対の蓋壁１４は、天壁１３に開口した４つの天面穴Ｈを閉塞している。
【００４５】
以上によって、包装箱１が封緘され、内容物Ｍが包装された状態になる（図１参照）。つまり、包装箱１の組立作業が完了する。このように内容物Ｍが包装された状態で、４つの角当て部１５は、底壁１０、側壁１１、端壁１２および天壁１３の内面に重なるように折り曲げられ、且つ底壁１０、側壁１１、端壁１２および天壁１３の各々と内容物Ｍの角部Ｃとの間に配置されて内容物Ｍの角部Ｃを保護する（図１参照）。
【００４６】
［包装箱の開封］
次に、包装箱１を開封する場合について説明する。包装箱１は上記の組立作業とは逆の手順によって開封される。具体的には、作業者は、蓋壁１４の指掛け部３９Ａに露出した固定片３８に指を掛け、固定片３８を固定穴３９から引き抜く（図７参照）。続いて、作業者は、差込片３６を差込穴３７から引き抜きながら一対の蓋壁１４を外側に開く（図６および図７参照）。次に、作業者は、係合凸部３１の指掛け部３１Ｂ（図６参照）に指を掛け、係合凸部３１を第１および第２補助罫線２５Ａ，２５Ｂ（図２参照）で内側に折りながら引き上げる。すると、前方の天壁１３Ａの外面に重なった後方の天壁１３Ｂも一緒に持ち上げられ、一対の天壁１３Ａ，１３Ｂの噛み合いが解除される。そして、一対の天壁１３Ａ，１３Ｂが外側に開かれ（図４参照）、作業者は内容物Ｍを取り出すことができる。
【００４７】
以上によって、包装箱１の開封が完了する。なお、４つの角当て部１５を折り返す前の状態に戻すことで、包装箱１は１枚のブランク５に戻る。
【００４８】
以上説明した第１実施形態に係る包装箱１では、角当て部１５が天壁１３の左右方向（第２方向）の側部に連設されていた。この構成によれば、底壁１０等の内面に重ねられた角当て部１５および底壁１０に内容物Ｍを載せ、各壁１１〜１３を適宜折り曲げることで内容物Ｍを包装することができる。この状態で、内容物Ｍの角部Ｃが角当て部１５と各壁１０〜１３とによって二重に覆われるため、内容物Ｍの角部Ｃを適切に保護することができる。このように、角当て部１５を底壁１０等の内面に重ねるように折るという簡単な手順で内容物Ｍの角部Ｃを保護する構造を容易に形成することができる。
【００４９】
また、第１実施形態に係る包装箱１では、角当て部１５が１つのブランク５として一体に形成されていた。この構成によれば、仮に包装箱１と角当て部１５とを別部材で構成する場合に比べて、ブランク５（包装箱１）の製造・保管に関する管理を簡素化することができる。さらに、包装箱１の開封後においても、角当て部１５が１つのブランク５として一体に形成されているため、例えば、不要となったブランク５を展開して複数重ねて保管することができる。これにより、不要となったブランク５（廃棄物）の回収等にかかる手間を軽減することができる。
【００５０】
また、第１実施形態に係る包装箱１では、角当て部１５が折返し線５０で折り返されると、天面保護部４０、第１側面保護部４１、底面保護部４２および第２側面保護部４３が、天壁１３、側壁１１、底壁１０および端壁１２に重なる構成とした。この構成によれば、底面保護部４２に内容物Ｍを載せて各壁１１〜１３を適宜折り曲げることで、内容物Ｍの角部Ｃの四面に対して各保護部４０〜４３と各壁１０〜１３とが重なった二重壁を対向させることができる。これにより、４つの角当て部１５によって内容物Ｍの４つの角部Ｃを適切に保護することができる。
【００５１】
また、第１実施形態に係る包装箱１によれば、一対の天壁１３が係合部３０を介して内容物Ｍの天面を覆った状態に維持されることで、角当て部１５が内容物Ｍの角部Ｃに対向した状態を維持することができる。
【００５２】
通常、ヤッコ型のブランク５では１枚の段ボールシートを打ち抜いた際、天壁１３と蓋壁１４とによって囲まれた領域が不要な部分となるため除去されることが多い。この点、第１実施形態に係る包装箱１では、角当て部１５が、天壁１３の左右方向（第２方向）の側部に連設され、天壁１３と蓋壁１４とによって囲まれた領域に配置されていた。この構成によれば、一般的に不要な部分とされていた領域に角当て部１５を配置することができるため、段ボールシートから除去される面積を減少させることができる。これにより、段ボールシートを無駄なく用いることができ、廃棄される段ボールシートを減少させることができる。
【００５３】
また、第１実施形態に係る包装箱１によれば、蓋壁１４が天壁１３に重なるため、天面保護部４０を折り返すことで開口する天面穴Ｈを蓋壁１４によって覆い隠すことができる。これにより、内容物Ｍの天面が穴から露出することが防止され、内容物Ｍの天面を保護することができると共に、包装箱１の外観を良好に保つことができる。
【００５４】
また、第１実施形態に係る包装箱１では、蓋壁１４がロック構造３５を介して天壁１３に固定される構成とした。この構成によれば、天壁１３および蓋壁１４が内容物Ｍの天面を覆った状態に維持されるため、角当て部１５が内容物Ｍの角部Ｃに対向した状態を維持することができる。
【００５５】
なお、第１実施形態に係る包装箱１では、角当て部１５が傾斜した折返し線５０を介して天壁１３に連設されていたが、本発明はこれに限定されない、第１実施形態の変形例に係る包装箱１として、例えば、図８に示すように、角当て部１６が、第３折曲線２３等と略平行に延びた折返し線５４を介して連設されてもよい。この場合、角当て部１６は、天壁１３の側部において、段方向に延びた切断線４６と、流れ方向に延びた折返し線５４とによって囲まれた範囲に設けられることが好ましい。
【００５６】
［第２実施形態］
次に、図９および図１０を参照して、第２実施形態に係る包装箱２について説明する。
図９は包装箱２のブランク６を示す平面図である。図１０はブランク６の一部を拡大して示す平面図である。なお、以降の説明では、第１実施形態に係る包装箱１と同様または対応する構成については同一の符号を付し、包装箱１と同様または対応する説明は省略する。
【００５７】
第２実施形態に係る包装箱２（ブランク６）では角当て部１７が、第１実施形態に係る包装箱１の角当て部１５と異なる形状を成している。なお、包装箱２は組み立てられた状態では第１実施形態に係る包装箱１と略同一の形状を成している。
【００５８】
＜角当て部＞
図９に示すように、４つの角当て部１７は、天壁１３の流れ方向両端部から流れ方向外側に向かって延設され、一対の天壁１３と一対の蓋壁１４とによって囲まれた４つの領域に配置されている。なお、４つの角当て部１７は前後・左右に対称となる形状であるため、以下、１つの角当て部１７について説明する。
【００５９】
図１０に示すように、角当て部１７は、天壁１３の側から順に、第２側面保護部６０と、天面保護部６１と、第１側面保護部６２と、底面保護部６３と、を含んでいる。
【００６０】
第２側面保護部６０は、天壁１３の流れ方向の端部に第１折込線７１を介して連設されている。第２側面保護部６０は、第１折込線７１を一辺とした略正方形状に形成されている。第１折込線７１は、天壁１３の側辺（第２折曲線２２の延長線）よりも僅かに天壁１３の内側にずれた位置に形成されている。また、第２側面保護部６０は、その流れ方向中間部（略中央）に第１折込線７１と略平行に形成された折返し線７０を有している。
【００６１】
天面保護部６１は、第２側面保護部６０の流れ方向の端部に第２折込線７２を介して連設されている。天面保護部６１は、第２折込線７２を一辺とした略正方形状に形成されている。なお、天面保護部６１は、第１側面保護部６２や底面保護部６３よりも流れ方向外側に向かって突き出すように形成されている。
【００６２】
第１側面保護部６２は、天面保護部６１の端壁１２の側に第３折込線７３を介して連設されている。第１側面保護部６２は、差込片３６に干渉しないように、天面保護部６１の第２折込線７２の側に寄った位置に連設されている。第１側面保護部６２は、天面保護部６１よりも流れ方向に狭い略長方形状に形成されている。第１側面保護部６２の段方向の寸法（延出寸法）は、側壁１１の延出寸法と略同一に設定されている。第３折込線７３は、第３折曲線２３の延長線よりも僅かに底壁１の側にずれた位置に形成されている。
【００６３】
底面保護部６３は、第１側面保護部６２の端壁１２の側に第４折込線７４を介して連設されている。底面保護部６３は、第４折込線７４を長辺とした流れ方向に僅かに長い略長方形状に形成されている。底面保護部６３は、蓋壁１４の段方向の側端部を略Ｕ字状に切断することで略長方形状に形成されている。底面保護部６３の段方向の寸法（延出寸法）は、端壁１２（または側壁１１）の延出寸法と略同一に設定されている。第４折込線７４は、蓋壁１４の側辺（第１折曲線２１の延長線）と略同一線上に形成されている。
【００６４】
なお、側壁１１、端壁１２、蓋壁１４の基端部、第１側面保護部６２および第２側面保護部６０で囲まれた範囲には略正方形状の開口（穴）が構成されている。また、折返し線７０および第１〜第４折込線７１〜７４は、それぞれリード罫である。
【００６５】
［包装箱の組立］
次に、図１１ないし図１３を参照して、包装箱２を組み立てて内容物Ｍを包装（収容）する工程（組立作業）について説明する。図１１は角当て部１７を折り返した状態を示す斜視図である。図１２は１つの角当て部１７等を拡大して示す平面図である。図１３は天壁１３で内容物Ｍを覆った状態の一部を示す平面図である。ここでは、一例として、作業者が内容物Ｍを包装する（包装箱１を封緘する）場合について説明する。
【００６６】
まず、図１１に示すように、作業者は、４つの角当て部１７の第２側面保護部６０を折返し線７０に沿って内側に略１８０度に折り返す。４つの角当て部１７は、底壁１０の四隅付近において各壁１０〜１３の内面に重ねられる。
【００６７】
図１２に示すように、第２側面保護部６０が折返し線７０に沿って折り返されて２重に重ねられた状態において、天面保護部６１は第２折込線７２を第１折込線７１に対応させた位置で天壁１３の内面に重ねられる。また、第１側面保護部６２は第３折込線７３を第３折曲線２３に対応させた位置で側壁１１の内面に重ねられ、底面保護部６３は第４折込線７４を第１折曲線２１に対応させた位置で底壁１０の内面に重ねられる。
【００６８】
次に、図１１および図１２に示すように、作業者は、内容物Ｍの４つの角部Ｃを４つの底面保護部６３に載せた後、内容物Ｍを包むように側壁１１および天壁１３を折り曲げる。この際、第１側面保護部６２は第４折込線７４に沿って上方に折り曲げられ、天面保護部６１は第３折込線７３に沿って内側に折り曲げられる。続いて、作業者は、係合部３０を介して一対の天壁１３Ａ，１３Ｂを係合させる（図６参照）。
【００６９】
この状態で、図１３に示すように、一対の側壁１１は内容物Ｍの前後方向の両側面に対向し、一対の天壁１３Ａ，１３Ｂは互いに係合して内容物Ｍの天面に対向する。また、この状態で、底面保護部６３は、底壁１０と内容物Ｍの角部Ｃの底面との間に挟まれている。第１側面保護部６２は、側壁１１と内容物Ｍの角部Ｃの前後方向の側面との間に挟まれている。天面保護部６１は、天壁１３と内容物Ｍの角部Ｃの天面との間に挟まれている。二重の第２側面保護部６０は左右方向外側に突出している（図１３参照）。
【００７０】
次に、作業者は、二重に折られた第２側面保護部６０を第１折込線７１および第２折込線７２に沿って下方に折り曲げる。続いて、作業者は、天壁１３や二重の第２側面保護部６０等を包むように端壁１２および蓋壁１４を折り曲げ、ロック構造３５を介して蓋壁１４を天壁１３に固定する。
【００７１】
この状態で、一対の端壁１２は、内容物Ｍの左右方向の両側面に対向する。また、二重の第２側面保護部６０は、端壁１２と内容物Ｍの角部Ｃの左右方向の側面との間に挟まれている。
【００７２】
以上によって、包装箱２の組立作業が完了する。
【００７３】
以上説明した第２実施形態に係る包装箱２によれば、角当て部１７を底壁１０等の内面に重ねるように折るという簡単な手順で内容物Ｍの角部Ｃを保護する構造を容易に形成することができる等、上記した第１実施形態に係る包装箱１と同様の作用、効果を得ることができる。
【００７４】
また、第２実施形態に係る包装箱２では、天面保護部６１が天壁１３と内容物Ｍの天面との間に配置された状態において、二重になった第２側面保護部６０は、第１折込線７１および第２折込線７２に沿って折り曲げられて内容物Ｍの角部Ｃの左右方向の側面と端壁１２との間に配置される構成とした。この構成によれば、内容物Ｍの角部Ｃの長手方向（左右方向）の側面に対して端壁１２と二重の第２側面保護部６０とが重なった三重壁を対向させることができる。これにより、内容物Ｍの角部Ｃを適切に保護することができる。また、包装箱２に収容された内容物Ｍは長手方向（左右方向）を上下に向けた状態で運搬や保管されることが多いため、内容物Ｍの短辺側となる左右方向の側面で大きな荷重を受けることが多い。この包装箱２では、荷重がかかり易い内容物Ｍの角部Ｃの左右方向の側面に対して三重壁を対向させることができる。これにより、大きな荷重から内容物Ｍの角部Ｃを保護することができる。
【００７５】
なお、第１および第２実施形態（変形例を含む。以下同じ。）に係る包装箱１，２では、４つの角当て部１５〜１７が設けられていたが、本発明はこれに限定されない。角当て部１５〜１７は、内容物Ｍの形状（例えば、角部Ｃが片側のみに形成されている場合等）に応じて１つ以上設けられていればよい。
【００７６】
また、第１および第２実施形態に係る包装箱１，２では、一対の天壁１３Ａ，１３Ｂが一対の側壁１１に連設されていたが、本発明はこれに限定されない。例えば、１つの天壁１３が一対の側壁１１の少なくとも一方の先端部に連設されてもよい。また、これと同様に、１つの蓋壁１４が一対の端壁１２の少なくとも一方の先端部に連設されてもよい。
【００７７】
また、第１および第２実施形態に係る包装箱１，２では、前方の天壁１３Ａの延出寸法が後方の天壁１３Ｂの延出寸法よりも小さく（短く）設定されていたが、本発明はこれに限定されない。例えば、天壁１３Ａの延出寸法が、天壁１３Ｂの延出寸法よりも長く設定されてもよいし、天壁１３Ｂの延出寸法と同一に設定されてもよい。また、これと同様に、一対の蓋壁１４が異なる延出寸法に設定されてもよい。
【００７８】
また、第１および第２実施形態に係る包装箱１，２では、天壁１３が側壁１１に連設され、蓋壁１４が端壁１２に連設されていたが、本発明はこれに限定されない。例えば、天壁１３が端壁１２（第１側壁）に連設され、蓋壁１４が側壁１１（第２側壁）に連設されてもよい。
【００７９】
また、第１および第２実施形態に係る包装箱１，２では、一対の天壁１３を係合させる係合部３０や、蓋壁１４を天壁１３に固定するロック構造３５が設けられていたが、係合部３０やロック構造３５は省略されてもよい。
【００８０】
また、第１および第２実施形態に係る包装箱１，２では、蓋壁１４が端壁１２に連設されていたが、蓋壁１４は省略されてもよい。この場合、ロック構造３５が省略されるため、端壁１２や天壁１３が開かないように結束バンド等を巻き付けることが好ましい。
【００８１】
また、第１および第２実施形態に係る包装箱１，２では、折返し線５０，５４，７０で折り返された角当て部１５〜１７が底壁１０や天壁１３等に固定されていなかったが、本発明はこれに限定されない。例えば、折返し線５０，５４，７０で折り返された角当て部１５〜１７が底壁１０や天壁１３等に接着剤等を介して接着（固定）されてもよい。
【００８２】
また、第１および第２実施形態に係る包装箱１，２では、第１〜第４折曲線２１〜２４等が汎用罫線であったが、本発明はこれに限定されない。例えば、第１〜第４折曲線２１〜２４等は、リード罫、複数の切目を略等間隔に並べたミシン線または段ボールシートの厚みの半分程度まで切断した半切線等、裏ライナ９Ｃを内側に向けるように段ボールシートを折り曲げるための線であれば如何なるものでもよい（図示せず）。また、折返し線５０，７０や各々の折込線５１〜５３，７１〜７４がリード罫であった、これに限らず、ミシン線、半切線または段ボールシートを表ライナ９Ｂ側から厚み方向に直線状に潰して形成された逆罫線等、表ライナ９Ｂを内側に向けるように段ボールシートを折り曲げるための線であれば如何なるものでもよい（図示せず）。
【００８３】
また、本実施形態に係る包装箱１，２の大きさ（寸法）等は、一例であって、内容物Ｍの大きさに応じて適宜変更することができる。
【００８４】
また、本実施形態に係る包装箱１，２は、紙製の両面段ボールシートで形成されていたが、本発明はこれに限定されない。例えば、段ボールシートは、中しん９Ａの片面にライナを貼り付けた片面段ボールシートであってもよいし、片面段ボールシートを両面段ボールシートに貼り合せた複両面段ボールシートであってもよい。また、例えば、包装箱１，２は、紙製の段ボールシートに代えて、厚紙や樹脂製の板等で形成されていてもよい。
【００８５】
なお、上記実施形態の説明は、本発明に係る包装箱における一態様を示すものであって、本発明の技術範囲は、上記実施形態に限定されるものではない。
【符号の説明】
【００８６】
１，２            包装箱
１０              底壁
１１              側壁（第１壁）
１２              端壁（第２壁）
１３Ａ，１３Ｂ（１３）  天壁
１４              蓋壁
１５，１６，１７  角当て部
２１              第１折曲線
２２              第２折曲線
２３              第３折曲線
３０              係合部
３５              ロック構造
４５              切込線
４０，６１        天面保護部
４１，６２        第１側面保護部
４２，６３        底面保護部
４３，６０        第２側面保護部
５０，５４，７０  折返し線
５１，７１        第１折込線
５２，７２        第２折込線
５３，７３        第３折込線
７４              第４折込線
Ｃ                角部
Ｍ                内容物
【図１】
2019112073.tif 000003
【図２】
2019112073.tif 000004
【図３】
2019112073.tif 000005
【図４】
2019112073.tif 000006
【図５】
2019112073.tif 000007
【図６】
2019112073.tif 000008
【図７】
2019112073.tif 000009
【図８】
2019112073.tif 000010
【図９】
2019112073.tif 000011
【図１０】
2019112073.tif 000012
【図１１】
2019112073.tif 000013
【図１２】
2019112073.tif 000014
【図１３】
2019112073.tif 000015